(57)【要約】【課題】電源電圧又は平均電源電圧を可変させる一般的な調光器で調光可能なインバータ方式で、商用交流電源で使用する際に力率が高いＬＥＤ（発光ダイオード）点灯用電源回路及び該ＬＥＤ点灯用電源回路を搭載したＬＥＤ電球を提供する。【解決手段】本発明に係るＬＥＤ点灯用電源回路は、インバータ回路を制御する制御ＩＣ１に対し、インバータ回路に印加される電圧を所定の分圧比で分圧して、制御ＩＣ１に具備される調光端子ＤＭに入力することを特徴としている。これにより、電源電圧又は平均電源電圧を可変させる一般的な調光器で、ＬＥＤ素子の調光が可能となる。【選択図】図８
2011018557.tif 000002
【特許請求の範囲】
【請求項１】
調光端子又は電流検出回路用基準電源入力端子のいずれかを具備する制御ＩＣを用いた、直流電圧を高周波電圧に変換するインバータ回路を備えるＬＥＤ点灯用電源回路において、前記インバータ回路に印加される電源電圧又は該電源電圧から一定電圧分低下させた電圧を所定の分圧比で分圧する分圧手段を有し、該分圧手段で分圧された電圧を前記調光端子又は前記電流検出回路用基準電源入力端子に入力することを特徴とするＬＥＤ点灯用電源回路。
【請求項２】
交流電源電圧を、整流回路を通して前記インバータ回路に供給することを特徴とする請求項１に記載のＬＥＤ点灯用電源回路。
【請求項３】
前記整流回路が、交流電源電圧の平滑用コンデンサを有しないことを特徴とする請求項２に記載のＬＥＤ点灯用電源回路。
【請求項４】
前記整流回路が、消費電流１Ａ当たり２２μＦ以下の平滑用コンデンサを有することを特徴とする請求項２に記載のＬＥＤ点灯用電源回路。
【請求項５】
前記調光端子又は前記電流検出回路用基準電源入力端子への分圧が、定電圧効果を持つ電子部品により電源電圧から一定電圧分低下させた後に行われることを特徴とする請求項１〜４のいずれかに記載のＬＥＤ点灯用電源回路。
【請求項６】
前記電子部品が、ツェナーダイオードもしくは同機能を有する電子部品であることを特徴とする請求項５に記載のＬＥＤ点灯用電源回路。
【請求項７】
直流電圧を高周波電圧に変換するインバータ回路を備えるＬＥＤ点灯用電源回路において、前記インバータ回路の出力が、電源電圧に関係なく、常に第１の一定時間だけオンし、第２の一定時間だけオフすることにより、該インバータ回路が負性抵抗を示さないことを特徴とするＬＥＤ点灯用電源回路。
【請求項８】
請求項１〜７のいずれかのＬＥＤ点灯用電源回路を搭載することを特徴とするＬＥＤ電球。
【発明の詳細な説明】
【技術分野】
【０００１】
本発明は、電源電圧又は平均電源電圧を可変させる一般的な調光器で調光可能なインバータ方式のＬＥＤ（発光ダイオード）点灯用電源回路及び該ＬＥＤ点灯用電源回路を搭載したＬＥＤ電球に関する。
【背景技術】
【０００２】
近年、エネルギー効率の悪い白熱電球やハロゲン電球に代わる代替光源として、電球型蛍光灯やＬＥＤ電球が製造販売されている。これらの電球型蛍光灯やＬＥＤ電球では、インバータ回路を備える電源回路が多く用いられている。
【０００３】
ＬＥＤ電球に内蔵される電源回路は、通常、整流回路とインバータ回路から成る。ここで、整流回路は、商用電源から供給される交流電力を直流電力に変換するものであり、例えばブリッジ接続したダイオード及び平滑用コンデンサから構成される。また、インバータ回路は前記整流回路を経て入力された直流電力を高周波電力に変換するものであり、降圧・昇圧を行うトランスやコイル、高周波スイッチング等を行う制御ＩＣなどから構成される。
【先行技術文献】
【特許文献】
【０００４】
【特許文献１】特開２００４−１９２８３３号公報
【発明の概要】
【発明が解決しようとする課題】
【０００５】
上記の制御ＩＣは、その多くが、インバータ回路への入力電圧が変動する際に輝度が変化することを防ぐために、ＬＥＤ素子に流れる電流を一定に保つ回路（定電流回路）が組み込まれている（例えば引用文献１）。これにより、インバータ回路へ入力される電源電圧が変動しても一定の輝度でＬＥＤ素子を発光させることができる。その反面、電源電圧（又は電源電圧の平均値）を変化させることによる調光ができなくなるという問題が生じる。ホテルや結婚式場、レストランなど、イベントや天候、時間帯等により照明の明るさを変える必要のある施設では、一般的に電源電圧又は平均電源電圧を可変させる方式の調光が行われており、従って、従来のＬＥＤ電球では対応できず、将来製造の中止が予定されている白熱電球の代替には利用できない。また家庭など小規模な用途においても電源電圧を可変させる方式の調光器が組み込まれている例が増えており、同様に白熱電球を従来のインバータ型の蛍光灯やＬＥＤ電球で代替することはできない。
【０００６】
また、定電流回路が組み込まれたインバータ回路は負性抵抗特性を示すため、電源回路に供給する電圧（電源電圧）を減少させると、許容値以上の電流がインバータ回路に流入し、回路を破損させる恐れがある。そのため、上記の電源電圧を可変させる調光器に対して、従来のインバータ方式のＬＥＤ電球を使用することは禁止されている。また、従来のインバータ方式の電球型蛍光灯やＬＥＤ電球は、交流を直流に整流した上でインバータ回路により電圧や電流を変換しているが、同整流回路には平滑用コンデンサが付加されているため、コンデンサインプット型整流回路になる。これにより、インバータ回路に流入する電流はコンデンサインプット型特有の高調波を多く含むパルス状のものとなり、力率も０．６前後になる。電力会社は力率の高低によっても、電気料金の割引・割増を行っており、このような力率の低いＬＥＤ電球を多数用いた場合、電気料金が割高となる。一方、モータや安定器型蛍光灯等の誘導負荷による遅れ力率は、進相コンデンサを付加する事により容易に改善できるが、このような進み位相の改善には大容量のコイルを必要とするため容易ではない。また、大量の高調波が発生すると、同じ電力系統に接続された力率改善用進相コンデンサ等に過大な電流が流れて障害が生じる恐れもある。
【０００７】
本発明が解決しようとする課題は、一般的なインバータ回路用制御ＩＣを用いて、力率が１に近い高力率のＬＥＤ点灯用電源回路を提供するとともに、電源電圧又は電源電圧の平均値を可変させる調光器を用いて調光可能なインバータ方式のＬＥＤ点灯用電源回路を提供することである。
【０００８】
上記課題を解決するために成された本発明に係るＬＥＤ点灯用電源回路は、
調光端子又は電流検出回路用基準電源入力端子のいずれかを具備する制御ＩＣを用いた、直流電圧を高周波電圧に変換するインバータ回路を備えるＬＥＤ点灯用電源回路において、前記インバータ回路に印加される電源電圧又は該電源電圧から一定電圧分低下させた電圧を所定の分圧比で分圧する分圧手段を有し、該分圧手段で分圧された電圧を前記調光端子又は前記電流検出回路用基準電源入力端子に入力することを特徴とする。
【発明の効果】
【０００９】
本発明に係るＬＥＤ点灯用電源回路によれば、インバータ回路に印加される電源電圧又は該電源電圧から一定電圧分低下させた電圧を所定の分圧比で、インバータ回路の制御ＩＣの調光端子又は電流検出回路用基準電源入力端子に入力している。これにより、電源電圧を変化させたときに調光端子又は電流検出回路用基準電源入力端子に印加される電圧も同じ比率で変化するため、電源電圧を変えることによりＬＥＤに供給される電流量も変化することになる。従って、電源電圧を可変させる調光器を用いた調光が可能となる。
【００１０】
本発明のＬＥＤ点灯用電源回路は、従来の電源回路に対して特別な回路や部品を追加していない。従って、ＬＥＤ電球を製造するためのコストを殆ど増加させることなく、電源電圧を可変させる調光器を用いた調光が可能となる。また、これにより、ホテルやレストラン等の大きな施設で、白熱電球やハロゲン電球に代替させることができるため、省電力化に大きく寄与することができる。
【００１１】
さらに、上記のインバータ回路は負性抵抗特性を持たないという特徴を有している。従って、本発明の電源回路に整流回路を加え、さらに整流回路で通常用いられる平滑用コンデンサを除去又は小容量にすることにより、整流回路の出力を脈流とし、商用電源から流入する電流と電圧の波形及び位相をほぼ一致させることができる。この結果、１に近い力率を得ることができる。また、高調波もほとんど生じないため、ホテルやレストラン等の大きな施設で、白熱電球やハロゲン電球を本発明に係る電源回路を内蔵したＬＥＤ電球で代替しても、力率低下により割増料金を支払う心配が無く、更に高調波により施設内や周辺に障害を与える恐れもないため、省電力化に大きく寄与することができる。
【図面の簡単な説明】
【００１２】
【図１】直流電源に接続された従来のＬＥＤ点灯用電源回路を示す回路図。
【図２】本発明に係るＬＥＤ点灯用電源回路の第１実施例を示す回路図。
【図３】制御ＩＣの内部構造及びその周辺を示す概略回路図。
【図４】従来例のＬＥＤ点灯用電源回路の動作説明のための波形図。
【図５】従来例のＬＥＤ点灯用電源回路において、制御ＩＣの調光端子の電圧を変化させた場合の波形図。
【図６】第１実施例のＬＥＤ点灯用電源回路の動作説明のための波形図。
【図７】交流電源に接続された従来のＬＥＤ点灯用電源回路を示す回路図。
【図８】本発明に係るＬＥＤ点灯用電源回路の第２実施例を示す回路図。
【図９】従来例における電流・電圧波形を示す図。
【図１０】従来例の整流回路において平滑用コンデンサを取り除く又は容量を小さくした場合の電流・電圧波形を示す図。
【図１１】第２実施例の電流・電圧波形を示す図。
【図１２】第２実施例のＬＥＤ点灯用電源回路の動作説明のための波形図。
【図１３】調光端子ＤＭへの分圧の第１変形例を示す調光端子ＤＭ周辺の回路図（ａ）、第２変形例を示す調光端子ＤＭ周辺の回路図（ｂ）、第３変形例を示す調光端子ＤＭ周辺の回路図（ｃ）。
【発明を実施するための形態】
【実施例１】
【００１３】
本発明による第１実施例を図１〜図６を用いて説明する。
図１は直流電源を使用する従来のＬＥＤ点灯電源回路を示す回路図であり、調光端子ＤＭにボリューム等を経て規定の電圧を印加することにより、明るさを調整できるものである。図２は本実施例による電源電圧の可変により調光可能なＬＥＤ点灯電源回路の回路図であり、電源電圧を分圧用抵抗Ｒ４、Ｒ５により分圧して調光端子ＤＭに入力している。
なお、図１及び図２の回路図には、本実施例において重要な意味を持つ部分を破線で囲んでいる。
【００１４】
図３は図１及び図２で用いた一般的なＬＥＤ点灯用インバータ回路制御ＩＣの内部構造を簡略化して示したものである。この制御ＩＣの一般的な動作を図３の回路図及び図４の波形図を用いて説明する。なお、制御ＩＣとしては、例えば米国リニアテクノロジー社製のＬＴ３７５５（又はＬＴ３７５５−１）を用いることができる。このＬＴ３７５５（ＬＴ３７５５−１）ではＣＴＲＬ端子が調光端子ＤＭに相当する。
【００１５】
制御ＩＣ１の内部には、制御ＩＣ１が使用する安定な電源を作る安定化電源回路、動作の基準になる基準クロック（ＯＳＣ）、該ＯＳＣのクロック信号の立ち上がりエッジで出力が正転するフリップフロップ（ＦＦ）、該ＦＦの出力を外部若しくは内部に設けたトランジスタや電界効果トランジスタ（ＦＥＴ）を駆動するのに必要な駆動能力に増強するドライバー、該トランジスタやＦＥＴに流れる電流を検出するための電流検出端子ＣＳ、該電流検出端子ＣＳ用の比較電圧を入力し明るさを可変させる調光端子ＤＭがある。
【００１６】
図４の一番上の波形はＯＳＣにおけるクロック信号であり、その立ち上がりエッジでＦＦの出力（Ｑ）が正転し、ドライバーを経てＦＥＴがオンになる。これにより、ＦＥＴのドレイン電圧ＶＤは略電源電圧から略０Ｖに下降し、ＦＥＴにはコイルＬ１を経由して電流が流れ、抵抗Ｒ２により電圧に変換され電流検出端子ＣＳに入力される。
【００１７】
コイルＬ１に流れる電流は時間に比例して増加し、その比例係数（傾き）はコイルＬ１のインダクタンスに反比例し、電源電圧に比例する。この電流検出端子ＣＳの電圧が調光端子ＤＭの電圧に等しくなる、即ちコイルＬ１の電流が規定値に達すると、比較器の出力が正転し、その出力によりＦＦのリセットＲＳＴ端子を経てＦＦがリセットされる。その結果、ＦＦのＱは０に下がり、ＦＥＴはオフになる。
【００１８】
なお、ＦＥＴを１回通電することによりＬＥＤ素子ＬＥＤ１〜ＬＥＤｎに供給されるエネルギーはコイルＬ１に蓄えられるエネルギーに相当し、（コイルＬ１のインダクタンス）×（コイルＬ１に流れる電流）２／２となるため、電源電圧が変動してもコイルＬ１の電流値が一定に保たれる。これにより、常に一定のエネルギーが直列接続されたＬＥＤ１からＬＥＤｎに供給されることになる。
【００１９】
次に、コイルＬ１に流れる電流の勾配は電圧に比例するため、比較器が正転するまでに要する時間は、電源電圧が高いと早く、電源電圧が低いと遅いことになる。このことはＯＳＣのクロック信号の周期が一定の場合、図４のドレイン電圧ＶＤの波形に示すように、電源電圧が高いと短時間しかＦＥＴは通電せず、電源電圧が低いと長時間通電することになり、即ち、電源電圧が高いと電源の平均電流は減少し、電源電圧が低いと平均電流が増加することになる。従って、図１に示す従来例の電源回路が、電圧と電流が反比例する負性抵抗特性を示していることが分かる。
【００２０】
このことは、電源電圧が変動しても照明の輝度が変わらないという利点である反面、市場で主に利用されている、サイリスタやトライアック等の半導体スイッチを使って商用電源を間欠的に通電することにより平均電圧を可変して調光する方式や、スライダックと呼ばれる単巻きトランスで電源電圧を可変させる調光する方式に対して使用すると、調光ができないばかりでなく、電源電圧が下がった際に規定電流の数倍の電流が流れることによりヒューズ等の保護回路が焼損するなど破損の恐れがある。従って、多くのＬＥＤ電球や電球型蛍光灯は、このような電源電圧を可変させる方式の調光器に対して使用することが禁止されている。
【００２１】
一方、図３の調光端子ＤＭの電圧を変化させた場合の動作を図５を用いて説明する。
電源電圧が一定の場合、コイルＬ１に流れる電流の増加の傾きは一定であるから、調光端子ＤＭの電圧が低いとコイルＬ１の電流は短時間に規定値に達し、比較器の出力Ｖｃｍｐの出力レベルがＨ（Ｈｉｇｈ）になり、ＦＦがリセットされ、ＦＥＴがオフになる。この結果、コイルＬ１に蓄えられるエネルギーは調光端子ＤＭの端子電圧の高低によりコントロールされることになる。
【００２２】
図６は図２に示す本実施例のＬＥＤ点灯用電源回路の動作を示す波形図であり、電源電圧を所定の割合で分圧した電圧を調光端子ＤＭに入力している。ここで、電源電圧をＶ、コイルＬ１のインダクタンスをＬ、ＦＥＴがオンになってから時間ｔ後にコイルＬ１に流れる電流をｉ、電流検出用抵抗Ｒ２の値をＲ、調光端子ＤＭに入力する電圧の電源電圧Ｖに対する分圧比をｒとして数式にすると
ｉ＝（Ｖ／Ｌ）・ｔ
ｉ・Ｒ＝Ｖ／ｒ
この二つの連立方程式をｔについて解くと
ｔ＝Ｌ／ｒ・Ｒ
となり、ＦＥＴがオンする時間は、電源電圧に関係なく、コイルＬ１のインダクタンスＬと、調光端子ＤＭに入力する電圧の電源電圧Ｖに対する分圧比ｒと、電流検出用抵抗Ｒ２の値で決まる一定値となる。
【００２３】
以上のことから、電源電圧を抵抗などで分圧し、電源電圧と比例関係にある電圧を調光端子ＤＭに入力することにより、図６に示すグラフのように電源電圧に比例した電流が流れることになり、電源電圧を変えることによる調光が可能となる。
【実施例２】
【００２４】
本発明に係るＬＥＤ点灯用電源回路の第２実施例について図７〜図１３を用いて説明する。本実施例は、第１実施例の回路の前段に整流回路を加えたものであり、本実施例の電源回路には商用電源（交流電源）が接続される。
【００２５】
図７は商用電源を使用する従来のＬＥＤ点灯電源回路の回路図である。また、図８は本実施例による、電源電圧若しくは電源電圧の平均値を変えることにより電球の調光を行う調光器を用いてＬＥＤ素子の輝度を変化させることができ、且つ、力率が１に近い高力率ＬＥＤ点灯電源回路を示した回路図である。
なお、図７及び図８の回路図には、第１実施例と同様に、本実施例において重要な意味を持つ部分を破線で囲んでいる。
【００２６】
図７の従来例では、商用電源は、回路が異常時に破断するヒューズ又は微小抵抗等から成る保護素子Ｒ６を経て、ブリッジ接続されたダイオードＤ２により整流され、平滑用コンデンサＣ４により平滑されたあとノイズ防止用のコイルＬ２、コンデンサＣ３を経て、制御ＩＣ１やコイルＬ１、ＦＥＴ等から成るインバータ回路に入力される。調光端子ＤＭにはボリュームで分圧された制御ＩＣ１内部で安定化された電源Ｖｃｃが接続されており、直列接続されたＬＥＤ１からＬＥＤｎに流す電流を変化させ、これらの輝度を変更させることができる。一方、電源電圧を変化させてもこれらのＬＥＤ素子に流れる電流は変わらないため、一般的な調光器による調光はできず、電源電圧が下がる際、電源電流が定格電流の数倍に達することがあるため、ダイオードＤ２の焼損や、保護素子Ｒ６の破断が発生するおそれがある。
【００２７】
図８に示す第２実施例は、図７の従来例と同じく商用電源を使用する例であるが、図７とは異なり、電源電圧を分圧用抵抗Ｒ４、Ｒ５により分圧し、調光端子ＤＭに入力している。これにより、第１実施例と同じく電源電圧（又は平均電源電圧）を変えることによりＬＥＤ素子に流れる電流（又は平均電流）を変化させることができ、外部の調光器を用いて調光することが可能となる。
【００２８】
次に、第２実施例のＬＥＤ点灯用電源回路の力率について説明する。
まず、図７の従来例におけるコンデンサインプット型の整流回路の動作を図９に示す。図９の上側実線は商用電源の電圧波形であり、それをダイオードＤ２により全波整流に変換し、平滑用コンデンサＣ４により平滑化している。これにより全波整流の脈流の多くが消失し、破線に示すような電圧波形（Ｖ（Ｃ４））になる。この整流回路の動作は次のようになっている。まず、平滑用コンデンサＣ４が商用電源のピーク値まで充電される。その後、商用電源の電圧はサインカーブで減少していくが、コンデンサの内部に蓄積された電荷により平滑用コンデンサＣ４の電圧は急に下がらないため、ダイオードＤ２は非導通となり、商用電源から電力が供給されなくなる。この間、平滑用コンデンサＣ４に蓄積された電荷によりインバータ回路は動作を継続するため、平滑用コンデンサＣ４の電圧は低下していく。そして、商用電源の電圧の絶対値が増加し、平滑用コンデンサＣ４の電圧を越えるとダイオードＤ２が再び導通する。
【００２９】
コンデンサインプット型の整流回路は上記のような動作を繰り返すため、図９の下側実線で示すように電流が流れる時と流れない時が生じることになる。また、その電流波形のピークは電圧波形より位相が進み、更に、電流波形は商用電源周波数の正弦波ではなく大量の高調波を含むことになる。この平滑用コンデンサＣ４を取り除くか小さくすると、コンデンサインプット型特有の間欠的で電源電圧に対して進相した電流は流れなくなり、電圧波形と位相は合致する。しかしながら、負荷のインバータ回路の電圧と電流の関係が負性抵抗であるため、その電流波形は図１０のようになり、コンデンサインプット型に比べると力率や高調波ノイズは改善されるものの正弦波とは程遠く、力率は０．７〜０．８後にとどまる。
【００３０】
これに対し、同様に平滑用コンデンサＣ４を取り除くか小さくした本実施例では、インバータ回路の負性抵抗特性が消失しているため、電源電圧に比例した電流が流れるようになり、その電流波形は図１１のようになる。この結果、電圧と電流の位相が合致し、更に電圧に比例した電流が流れるため、電流波形は電圧に比例した正弦波になり、力率は概ね１になるとともに高調波がほとんど含まれないことになる。なお、この平滑用コンデンサＣ４の容量の具体的な数値は、消費電流１Ａ当たり２２μＦ以下とするのが望ましい。
【００３１】
本実施例の電源回路における交流電源半周期分の動作を図１２に示す。この図から、電源電圧と相関する電圧を調光端子ＤＭに入力することにより、電源電圧に相関する電源電流が流れることが分かる。
【００３２】
また、図７の従来例においてＬＥＤ１〜ＬＥＤｎから成るＬＥＤ群は電源電圧の変動に関係なく一定のエネルギーが供給されるため、これらのＬＥＤ群と並列に接続されているコンデンサＣ１はインバータのチョッピング周波数において電荷を貯えＬＥＤに安定した電流を流せばよく、さらにチョッピング周波数が数十ＫＨｚ〜数百ＫＨｚと高いため、その容量は１μＦ以下で良い。一方、図８に示す本実施例の電源回路は、ＬＥＤ群に流れる電流は商用電源の全波整流波形となるため、商用電源周波数の２倍の周波数で点滅することになる。この周波数は人間の目が明暗を識別できる周期に比べ遥かに短いため、不快感を与えることはないが、電源周波数帯域において蓄積効果を期待できる数百〜数千μＦのコンデンサを使用することで、より安定な光を発することができる。
【００３３】
なお、図１、図２、図７及び図８の回路図において、コンデンサの記号に一般のコンデンサの記号と電解コンデンサの記号を使い分けて用いているが、この使い分けはコンデンサの種類を分けるためのものではなく、容量値の大きさを示すために使ったものである。ここで、一般コンデンサ記号は略１μＦ以下を、電解コンデンサ記号はそれ以上の容量値を示している。
【００３４】
また、図２、図８及び上記説明において、調光端子ＤＭに入力する電圧は電源電圧を抵抗で分圧したものとしたが、図１３（ａ）のようにトランジスタのエミッタフォロアーや、図１３（ｂ）のようにバッファー増幅器を使うなど、多くの方法がある。
【００３５】
図１３（ｃ）は、電源電圧（又は平均電源電圧）を可変する調光器を用いた場合に、さらに安定した動作を可能にする回路例である。外部から調光するために電源電圧を下げると、制御ＩＣ１の電源電圧が低下し、該制御ＩＣ１の動作が不安定になる。その結果、照明がちらついたり、ある電圧で制御ＩＣの動作が急に停止することがある。このような照明がいきなり消える等の不具合を防ぐために、図１３（ｃ）の変形例では、調光端子ＤＭに入力する電源電圧の分圧回路にツェナー効果のあるダイオードを付加している。
【００３６】
図２及び図８に示す抵抗Ｒ３、Ｒ４による分圧の場合、電源電圧をＶｐとすると、調光端子ＤＭに入力される電圧ＶｄｍはＶｄｍ＝Ｖｐ・Ｒ４／（Ｒ３＋Ｒ４)となる。一方、図１３（ｃ）のように、ツェナー電圧がＶｚであるツェナーダイオードＺＤ１を付加すると、Ｖｄｍ＝（Ｖｐ−Ｖｚ）・Ｒ４／（Ｒ３＋Ｒ４）となるため、電源電圧がＶｚ以下になるとＤＭ端子の入力電圧が０Ｖになる。このツェナー電圧Ｖｚを制御ＩＣ１の動作電圧以上にすると、ＩＣ１は正常に動作する状態でＬＥＤの電流は０まで下がるため、制御ＩＣ１が不安定になる前に消灯する。
【００３７】
また、図１３（ｃ）の変形例では、定電流素子（又は定電流回路）ＣＣも用いられており、電源電圧が変化してもツェナーダイオードＺＤ１に概ね一定の電流を流すことができる。さらに、消灯が突然起きる現象も、電源電圧Ｖｐがツェナー電圧Ｖｚに近づく段階で滑らかに消灯に至るため、従来の白熱電球と同等の調光特性を、本変形例の電源回路を用いたＬＥＤ電球に備えさせることができる。
【００３８】
なお、インバータ回路用制御ＩＣとしては、上記したＬＴ３７５５（又はＬＴ３７５５−１）に限らず、米国ナショナルセミコンダクタ社製のＬＭ３４０９など同様の機能を有するものを使用することができる。ＬＭ３４０９の場合では、ＩＡＤＪ端子が調光端子ＤＭに相当するため、このＩＡＤＪ端子に電源電圧を分圧した電圧を入力すれば良い。
【００３９】
また、調光端子の代わりに電流検出回路用基準電源入力端子を用い、該電流検出回路用基準電源入力端子に電源電圧を分圧させた電圧を入力した場合も、上記実施例と同様の結果が得られる。
【００４０】
さらに上記実施例の回路は一般的な例を示したものであり、これらの実施例に限定されるものでないことは言うまでもないことである。
【符号の説明】
【００４１】
１…制御ＩＣ
Ｃ１、Ｃ２、Ｃ３、Ｃ３’、Ｃ４、Ｃ４’…コンデンサ
ＣＣ…定電流素子
ＣＳ…電流検出端子
ＤＭ…調光端子
Ｌ１、Ｌ２…コイル
ＬＥＤ１、…、ＬＥＤｎ…ＬＥＤ素子
Ｒ１、Ｒ２、Ｒ３、Ｒ４、Ｒ５…抵抗
【図１】
2011018557.tif 000003
【図２】
2011018557.tif 000004
【図３】
2011018557.tif 000005
【図４】
2011018557.tif 000006
【図５】
2011018557.tif 000007
【図６】
2011018557.tif 000008
【図７】
2011018557.tif 000009
【図８】
2011018557.tif 000010
【図９】
2011018557.tif 000011
【図１０】
2011018557.tif 000012
【図１１】
2011018557.tif 000013
【図１２】
2011018557.tif 000014
【図１３】
2011018557.tif 000015